(57)【要約】【課題】片開き状態に陥ることなく、開閉蓋を簡単に開けることのできる開閉蓋ロック機構を備えたプリンタを提案すること。【解決手段】ロール紙プリンタ１の開閉蓋４はロック機構１０によってケース本体３に固定されている。ロック機構１０は、ケース本体側の係合穴２４と、ここに外側から差し込まれている係合爪２１ｂ、２２ｂを備えた係合板２１、２２とを備え、開閉蓋４を開ける際には、係合穴２４を規定している垂直枠板部分３３が弾性変位して係合が外れる。開閉蓋４の右側のみを持って開くと、開閉蓋４が全体として右側に移動し、左側の係合爪２１ｂ、２２ｂが係合穴２４に深く差し込まれるが、この差し込み量（係合量）Ｃは突条２３によって規制される。係合爪２１ｂ、２２ｂが深く差し込まれてしまい、開閉蓋４の左側が開かない片開き状態になることを防止できる。【選択図】図６
2006272728.tif 000002
【特許請求の範囲】
【請求項１】
ケース本体と、
ケース蓋と、
このケース蓋を前記ケース本体に固定しているロック機構とを有し、
ロック機構は、
前記ケース本体に形成した本体側係合部と、
前記本体側係合部に係合している前記ケース蓋に形成した蓋側係合部と、
前記蓋側係合部の前記本体側係合部に対する係合量が所定量以上となることを阻止するための係合量規制部とを備えており、
前記ケース蓋に対して前記ケース本体から取り外す方向の力を加えると、前記本体側係合部および前記蓋側係合部の少なくとも一方が弾性変位して、前記蓋側係合部の前記本体側係合部に対する係合が解除されることを特徴とするプリンタ。
【請求項２】
請求項１において、
前記ケース蓋は、左右の側板部分を備えており、
前記ケース本体は、前記側板部分のそれぞれに内側から対峙している一対の本体側板部分を備えており、
各側板部分の内側表面に前記蓋側係合部が形成されており、
各本体側板部分の外側表面に前記本体側係合部が形成されており、
前記係合量規制部は、前記蓋側係合部の前記本体側係合部に向かう方向への最大移動量を規定するものであることを特徴とするプリンタ。
【請求項３】
請求項２において、
前記ケース蓋は、その前端部あるいは後端部を中心として、前記ケース本体に対して開閉可能な状態に取り付けられている開閉蓋であることを特徴とするプリンタ。
【発明の詳細な説明】
【技術分野】
【０００１】
本発明は、ケース本体に対してケース蓋が着脱可能な状態で取り付けられているジャーナルプリンタなどのプリンタに関し、特に、ケース蓋をケース本体にロックしているロック機構の改良に関するものである。
【背景技術】
【０００２】
ジャーナルプリンタなどの小型プリンタにおいては、そのケースに開閉蓋が取り付けられているのが一般的である。開閉蓋を開けると、ロール紙やインクリボンカセットなどの装填部が露出し、これらの装填や交換を行うことができるようになっている。開閉蓋は不用意に開いてしまうことが無い様に、ケースに対してロック機構によって固定されている。
【０００３】
開閉蓋のロック機構としては、ケースの左右の側板部分における外側表面に、外方に突出した係合突起を形成し、開閉蓋の左右の側板部分の内側表面に、内方に突出した係合突起を形成し、これらの機械的な係合によって、開閉蓋をケースに固定する機構のものが知られている。また、ケース側に係合突起を形成し、開閉蓋側に係合溝あるいは係合穴を形成した構成のものや、ケース側に係合溝あるいは係合穴を形成し、開閉蓋側に係合突起を形成した構成のものも知られている。
【０００４】
このようなロック機構では、開閉蓋を開ける際には、開閉蓋に作用する力によって、ケース側の部位あるいは開閉蓋側の部位が強制的に弾性変形させられて、係合状態が解除されるようになっている。また、開閉蓋を閉じる際にも、一方の部位が強制的に弾性変位させられ、しかる後に弾性復帰することにより、係合状態が形成されるようになっている。弾性変位を利用したロック機構では、ケース側の係合部と開閉蓋側の係合部の係合量を適切に設定しておけば、開閉蓋が不用意に開いてしまうことを確実に防止できると共に、開閉蓋の開閉操作も無理に力を加えることなく円滑に行うことができる。
【発明の開示】
【発明が解決しようとする課題】
【０００５】
しかしながら、このようなロック機構においては次のような問題点がある。開閉蓋を開ける際に、その片側のみを持って開こうとすると、力を加えた側の係合部の係合は簡単に外れるが、開閉蓋が全体として力を加えた側に移動し、あるいは撓み、反対側の係合部の係合量が大きくなってしまう。係合量が大きくなると、それに対応して大きく係合部を弾性変位させないと係合を解除できない。この結果、片側の係合のみが外れ、反対側の係合が解除されない、所謂、片開き状態に陥るおそれがある。この状態に陥ると、開閉蓋を完全に開けることが不可能あるいは困難である。
【０００６】
本発明の課題は、この点に鑑みて、ケース蓋の片側を操作した場合においても、片開き状態に陥ることなく、簡単にケース蓋を開けることのできるプリンタを提案することにある。
【課題を解決するための手段】
【０００７】
上記の課題を解決するために、本発明のプリンタは、ケース本体と、ケース蓋と、このケース蓋を前記ケース本体に固定しているロック機構とを有し、ロック機構は、前記ケース本体に形成した本体側係合部と、前記本体側係合部に係合している前記ケース蓋に形成した蓋側係合部と、前記蓋側係合部の前記本体側係合部に対する係合量が所定量以上となることを阻止するための係合量規制部とを備えており、前記ケース蓋に対して前記ケース本体から取り外す方向の力を加えると、前記本体側係合部および前記蓋側係合部の少なくとも一方が弾性変形して、前記蓋側係合部の前記本体側係合部に対する係合を解除できるようになっていることを特徴としている。
【０００８】
本発明のプリンタのロック機構では、係合量規制部によって、本体側係合部と蓋側係合部の係合量が規制されている。したがって、ケース蓋をケース本体から取り外す際に、ケース蓋の一方の側のみを持ち上げたとしても、他方の側において、本体側係合部と蓋側係合部の係合量が所定量以上になることがない。よって、係合部の係合が深くなり過ぎて、ケース蓋が開けられないといった弊害を確実に防止できる。
【０００９】
ここで、本発明のプリンタにおいて、前記ケース蓋を、左右の側板部分を備えたものとし、前記ケース本体を、前記側板部分のそれぞれに内側から対峙している一対の本体側板部分を備えたものとした場合には、各側板部分の内側表面に前記蓋側係合部を形成し、各本体側板部分の外側表面に前記本体側係合部を形成すればよい。また、この場合には、前記係合量規制部によって、前記蓋側係合部の前記本体側係合部に向かう方向への最大移動量を規制すればよい。
【００１０】
前記ケース蓋としては、その前端部あるいは後端部を中心として、前記ケース本体に対して開閉可能な状態に取り付けられている開閉蓋を挙げることができる。
【発明の効果】
【００１１】
本発明のプリンタでは、そのケース本体にケース蓋をロックしているロック機構に、本体側係合部と蓋側係合部の係合が深くならないように規制するための係合量規制部を設けてある。係合量規制部によって係合部の係合が深くなり過ぎることがないので、係合が深くなるような力を加えてケース蓋を開ける場合においても、ケース蓋を小さな力で簡単にケース本体から取り外すことができる。
【発明を実施するための最良の形態】
【００１２】
以下に、図面を参照して、本発明を適用したロール紙プリンタの実施の形態を説明する。
【００１３】
（全体構成）
図１はロール紙プリンタの外観斜視図であり、図２は蓋を開けた状態でのロール紙プリンタの斜視図である。また、図３は図２のＩＩＩ−ＩＩＩ線で切断した部分を示す部分拡大断面図である。
【００１４】
これらの図を参照して説明すると、本例のロール紙プリンタ１は、全体として縦長の矩形状のプリンタケース２を備えており、このプリンタケース２は、矩形枠状のケース本体３と、開閉蓋４（ケース蓋）とを備えている。開閉蓋４は、その後端部が、プリンタ幅方向に延びる旋回軸線を中心として旋回可能な状態でケース本体３に取り付けられており、図１に示す閉じ位置４Ａから図２に示す全開位置４Ｂまでの間を旋回可能となっている。また、開閉蓋４は左右のロック機構２０Ｌ、２０Ｒによってその閉じ位置４Ａにロックされるようになっている。ロック機構２０Ｌ、２０Ｒについては図４〜図６を参照して後述する。
【００１５】
プリンタケース２の内部には、その前半部分にプリンタ機構部５が装着されており、その後半部分にはロール紙装填部６が形成されている。開閉蓋４を開けると、ロール紙装填部６が露出し、その上側からロール紙（図示せず）を装填することができる。
【００１６】
プリンタ機構部５には、図３において一点鎖線で示すように、記録紙搬送路７が形成されている。記録紙搬送路７によって、ロール紙装填部６に装填したロール紙から繰り出されるテープ状の記録紙が印字位置８を経由して開閉蓋４に形成されている記録紙排出口９に導かれ、ここから上方に排出される。
【００１７】
印字位置８は、プラテン１１の表面部分によって規定されており、ここには、プリンタ前側から印字ヘッド１２のヘッド面が一定のギャップで対峙している。本例の印字ヘッド１２はドットインパクトヘッドである。印字ヘッド１２はヘッドキャリッジ１３に搭載されており、ヘッドキャリッジ１３はプリンタ幅方向に架け渡されたガイド軸１４に沿って往復移動可能となっている。ヘッドキャリッジ１３の前側にはリボンカセット装着部１５が形成されている。開閉蓋４を開けると、このリボンカセット装着部１５が露出し、上側から、着脱可能な状態でインクリボンカセット１６を装着することができる。
【００１８】
（開閉蓋のロック機構）
図４は、ロック機構が形成されている部位を示すプリンタケース２の横断面図であり、図５は開閉蓋４の概略縦断面図である。また、図６は左側のロック機構が形成されている部位を示す部分拡大断面図である。これらの図および図２を参照して、本例のロック機構の構成を説明する。なお、左右のロック機構２０Ｌ、２０Ｒは左右対称の構造となっているので、以下においては、左側のロック機構２０Ｌを中心に説明する。
【００１９】
まず、開閉蓋４は、記録紙排出口９が中央部分に形成されている天板部分４１を備えており、この天板部分４１の前端部分および後端部分は円弧状に下方に折り曲げられている。天板部分４１の左右の縁には下方に直角に折れ曲がって延びる左側板部分４２および右側板部分４３が形成されている。
【００２０】
左側のロック機構２０Ｌは、左側板部分４２の内側表面４２ａにおける前後方向の中ほどの部位に形成された２枚の係合板２１、２２（蓋側係合部）を備えている。これらの係合板２１、２２は、天板部分４１および左側板部分４２の内側表面４２ａに対して垂直な状態に形成されており、これらの係合板２１、２２の上下方向の長さは、左側板部分４２の内側表面４２ａよりも短い。したがって、それらの下端面２１ａ、２２ａが左側板部分４２の下端面４２ａよりも上方に位置している。また、これらの係合板２１、２２の下端部には、プリンタ幅方向の内方に山形状に突出した係合爪２１ｂ、２２ｂが一体形成されている。なお、後側の係合板２２の後側には補強リブ４５がそれぞれ形成されている。
【００２１】
次に、ロック機構２０Ｌは、ケース本体３における左側の側板部分３１における前後方向の中ほどの部位に形成された係合穴２４（本体側係合部）を備えている。係合穴２４は、側板部分３１の内側の部位において、当該側板部分３１に一体形成されている逆Ｕ字状の垂直枠板部分３３によって形成されている。
【００２２】
本例では、垂直枠板部分３３の上半部分が、側板部分３１の上縁面３１ａから上方に突出している。よって、幅方向の外側から、開閉蓋側の係合板２１、２２の係合爪２１ｂ、２２ｂを垂直枠板部分３３の上枠部分３３ａの下側に差し込み可能となっている。
【００２３】
ここで、左側の側板部分３１の上縁面３１ａには、上方に突出した矩形断面の突条２３が形成されている。この突条２３は、閉じ位置にある開閉蓋４の左側板部分４２よりも内側に位置するように配置されている。また、突条２３の突出量は左側板部分４２の下端面４２ａよりも高くなるように設定されている。したがって、図６において想像線Ａで示すように左側板部分４２が内側に移動した場合には、その下端部が突条２３に当たり、当該左側板部分４２の内側への移動が阻止される。
【００２４】
右側のロック機構２０Ｒも同様に構成されており、右側板部分４３の内側表面４３ａにおける前後方向の中ほどの部位に形成された２枚の係合板２５、２６（蓋側係合部）を備えている。これらの係合板２５、２６の下端部には、プリンタ幅方向の内方に山形状に突出した係合爪２５ｂ、２６ｂが一体形成されている。また、ケース本体３の右側の側板部分３２における前後方向の中ほどの部位に形成した係合穴２７（本体側係合部）と、右側板部分４３の移動量を規制するための突条２８を備えている。
【００２５】
この構成のロック機構２０Ｌでは、開閉蓋４が閉じ位置４Ａにある状態では、図４〜６に示すように、係合板２１、２２の係合爪２１ｂ、２２ｂが、それぞれ、ケース本体３側の係合穴２４に外側から差し込まれている。すなわち、図６から分かるように、係合爪２１ｂ、２２ｂの上側の傾斜端面が、係合穴２４を規定している垂直枠板部分３３の水平上枠部分３３ａの下端に下側から係合している。
【００２６】
閉じ位置４Ａにある開閉蓋４を引き上げると、係合板２１、２２と垂直枠板部分３２が相対的に弾性変位して、係合板２１、２２の係合爪２１ｂ、２２ｂが垂直枠板部分３３の水平上枠部分３３ａを乗り越えて上側に移動して、係合状態が解除される。本例では、垂直枠板部分３３が薄肉とされ、その下端のみが側板部分３１に固定された片持ち状態で当該側板部分３１に一体形成されている。よって、開閉蓋４を引き上げると、垂直枠板部分３３が係合爪２１ｂ、２２ｂによって内方に押されて一時的に弾性変位して、係合が解除される。なお、他方の右側のロック機構２０Ｒにおいても同様な動きとなる。
【００２７】
係合板２１、２２と係合穴２４の係合量は、図６においてＣで示してある。この係合量Ｃを適切な値に設定しておくことにより、開閉蓋４を確実に閉じ位置４Ａにロックしておくことができ、また、開閉蓋４を開ける際には小さな力で簡単に操作することができる。
【００２８】
ここで、開閉蓋４を開ける際に、例えば、右側部分のみを持ち上げた場合には、開閉蓋４が全体として右側に移動し、左側の係合板２１、２２も右側に移動する。この結果、係合穴２４に係合爪２１ｂ、２２ｂが深く入り込み、それらの間の係合量Ｃが増加する。しかしながら、本例では、ケース本体３の側板部分３１の上端面に突条２３が形成されており、開閉蓋４の側板部分４２が内方に移動すると、図６において想像線Ａで示すように、当該突条２３に当たり、それ以上移動することはない。
【００２９】
換言すると、係合爪２１ｂ、２２ｂ突条２３によって規制される係合量以上に係合穴２４に差し込まれることがない。したがって、係合爪２１ｂ、２２ｂが係合穴２４に深く差し込まれた状態に陥り、これらの係合を解除不能、あるいは解除困難になることが防止される。すなわち、図６において想像線Ｂで示すように係合爪２１ｂ、２２ｂが係合穴２４に深く差し込まれてしまうことがない。このため、開閉蓋４を常に所定の操作力で開けることができる。
【図面の簡単な説明】
【００３０】
【図１】本発明を適用したロール紙プリンタの外観斜視図である。
【図２】図１のロール紙プリンタの開閉蓋を開けた状態を示す斜視図である。
【図３】図２のＩＩＩ−ＩＩＩ線で切断した部分を示す部分拡大断面図である。
【図４】ロック機構が形成されている部位を示すプリンタケースの横断面図である。
【図５】開閉蓋の概略縦断面図である。
【図６】左側のロック機構が形成されている部位を示す部分拡大断面図である。
【符号の説明】
【００３１】
１  ロール紙プリンタ、２  プリンタケース、４  開閉蓋、４Ａ  閉じ位置、４Ｂ  全開位置、５  プリンタ機構部、６  ソール紙装填部、７  記録紙搬送路、８  印字位置、９  記録紙排出口、１１  プラテン、１２  印字ヘッド、２０Ｌ、２０Ｒ  ロック機構、２１、２２、２５、２６  係合板、２１ｂ、２２ｂ、２５ｂ、２６ｂ  係合爪、２３、２８  突条、２４、２７  係合穴、３１、３２  側板部分、３３  垂直枠板部分、３３ａ  水平上枠部分、４２、４３  側板部分
【図１】
2006272728.tif 000003
【図２】
2006272728.tif 000004
【図３】
2006272728.tif 000005
【図４】
2006272728.tif 000006
【図５】
2006272728.tif 000007
【図６】
2006272728.tif 000008